(57)【要約】【課題】手術の際に縫合糸を把持する鉗子の先端部に鉗子カバーが確実に装着するための補助具を提供する。【解決手段】鉗子カバー２の挿入口と１１、鉗子カバー２を受け入れる先細形状の空洞部１３を有する胴部１２と、空洞部１３内に押し込まれる空気を外に逃すための通気孔１５を有する先端部１４と、を有し、鉗子カバー２を鉗子１０の先端部に挿嵌する際に、先端部１４が鉗子カバー２の先端部２１と当接し、空洞部１３の奥側内周面１６と鉗子カバー２の先端側外周面２３とが接触することにより、鉗子カバー２を鉗子１０の先端部に密接的に挿嵌させる。【選択図】図２
0003117083.tif 000002
【実用新案登録請求の範囲】
【請求項１】
鉗子カバーを鉗子の先端部に挿嵌する際に使用する補助具であって、
鉗子カバーの挿入口と、
鉗子カバーを受け入れる先細形状の空洞部を有する胴部と、
前記空洞部内に押し込まれる空気を外に逃すための通気孔を有する先端部と、を有し、
鉗子カバーを鉗子の先端部に挿嵌する際に、前記先端部が鉗子カバーの先端部と当接し、前記空洞部の奥側内周面と前記鉗子カバーの先端側外周面とが接触することにより、鉗子カバーを鉗子の先端部に密接的に挿嵌するための鉗子カバー装着用補助具。
【請求項２】
前記空洞部は、前記挿入口側において円柱形状の空洞部を有する請求項１に記載の鉗子カバー装着用補助具。
【請求項３】
前記空洞部の断面形状は、鉗子カバーの外周断面形状に合わせて円形、楕円、半円又は多角形状である請求項１に記載の鉗子カバー装着用補助具。
【請求項４】
前記胴部の外周断面はテーパー形状を成す請求項1又は２に記載の鉗子カバー装着用補助具。
【請求項５】
前記先端部における通気孔の径は、前記鉗子の先端部の外径よりも小さい請求項１に記載の鉗子カバー装着用補助具。
【請求項６】
前記挿入口、前記胴部及び前記先端部は、硬質プラスチック又は金属素材により一体的に成型された請求項１に記載の鉗子カバー装着用補助具。
【請求項７】
前記胴部の外周面には、複数の細い線や溝、又はシボ状の凹凸が設けられた請求項６に記載の鉗子カバー装着用補助具。
【請求項８】
前記胴部の内周面には、複数の細い線や溝、又はシボ状の凹凸が設けられた請求項６に記載の鉗子カバー装着用補助具。
【考案の詳細な説明】
【技術分野】
【０００１】
本考案は、外科手術等に用いられる止血鉗子の先端部を覆い、縫合糸若しくは血管遮断のための血管テープ等を確実に把持するための鉗子カバーを、鉗子の先端部に確実に装着させるための鉗子カバー装着用補助具に関する。
【背景技術】
【０００２】
外科手術に用いられる挟みのような形状をした鉗子は、例えば筋肉、血管若しくは臓器等の組織を縫合したり吻合するための糸（以下、総称して「縫合糸」という）を操作把持したり、血管を遮断する際に用いられるナイロン糸や血管テープ等を把持するために用いられる。
【０００３】
図４及び図５は、このような鉗子１０の利用状態を示す。
【０００４】
図４は、第１の血管５の側壁の一部に第２の血管６を縫合する外科手術の例を示す。鉗子１０は、両端に縫合針４が設けられた縫合糸３を把持した状態のまま創外に垂らされ、その重みによって縫合糸に適当な張力を保ちつつ血管６を血管５に対して縫合する。
【０００５】
図５は、血管８内の血行を遮断する場合の例である。血管８の遮断箇所９にナイロン糸又は血管テープ等７を巻き付け、その巻付けの端部を鉗子１０が挟んだ状態で創外に垂らし、鉗子１０の重みで血管テープ７が締まり、血管が遮断される。
【０００６】
このように、鉗子１０は、外科手術の際に縫合糸３や血管テープ７等を損傷させず、且つ確実に把持する必要があり、このために通常、その鉗子１０の先端部には、図４及び５に示すように、鉗子カバー２を被せて使用する。
そして、従来は、操作者が、手術等の際に鉗子カバー２を指で把持して鉗子１０の先端に装着するようにしていた。
【考案の開示】
【考案が解決しようとする課題】
【０００７】
しかし、このような鉗子カバー２は、例えばゴムやプラスチック等の可撓性素材で形成されていることから曲ったり折れたりしてしまうことがあり、また、鉗子カバー２は細く小さいため、特に操作者の指先が濡れている場合には滑ってしまい、必ずしも鉗子１０の先端に密接して装着することは容易ではなかった。鉗子カバー２が鉗子１０の先端に密接的に装着されていないままで鉗子１０を使用すると、縫合糸３（図４）の把持が上手くいかないこととなる。
【０００８】
また、鉗子カバー２を指で直接摘んで鉗子の先端に装着するようにすると、鉗子カバー２を掴んだ指が血液や体液等で濡れている場合には、鉗子カバー２と縫合糸３（図４）との接触摩擦が低下し、縫合糸３が鉗子から滑ってしまい縫合糸３が滑ってズレたり外れてしまうことがあった。
【課題を解決するための手段】
【０００９】
本考案は、上記課題に鑑みて考案されたものであり、鉗子カバーを鉗子の先端部に挿嵌する際に使用する補助具であって、鉗子カバーの挿入口と、鉗子カバーを受け入れる先細形状の空洞部を有する胴部と、前記空洞部内に押し込まれる空気を外に逃すための通気孔を有する先端部と、を有し、鉗子カバーを鉗子の先端部に挿嵌する際に、前記先端部が鉗子カバーの先端部と当接し、前記空洞部の奥側内周面と前記鉗子カバーの先端側外周面とが接触することにより、鉗子カバーを鉗子の先端部に密接的に挿嵌するための鉗子カバー装着用補助具を提供するものである。
【００１０】
これにより、鉗子カバーが鉗子の先端に密接的に装着されるので、鉗子による縫合糸の把持を確実にしたのである。そして、前記空洞部は、前記挿入口側において円柱形状の空洞部を有するようにする。これにより、本補助具における鉗子カバーの装着密着性を向上させることができる。
【００１１】
ところで、前記先端部における通気孔の径は、前記鉗子の先端部の外径よりも小さくする。これにより、鉗子の先端が、本補助具のみならず鉗子カバーを突き抜けないようにする。また、前記空洞部の断面形状は、鉗子カバーの外周断面形状に合わせて円形のみならず、楕円、半円又は多角形状であってもよい。そして、前記胴部の外周断面はテーパー形状を成すようにする。
【００１２】
また、本鉗子カバー装着用補助具は、硬質プラスチック又は金属素材により一体的に成型される。そして、前記胴部の外周面及び／又は内周面には、指で持った際に滑らないように、また、鉗子カバーを装着した際に鉗子カバーがズレないように、複数の細い線や溝、又はシボ状の凹凸を設けるようにすると良い。
【考案の効果】
【００１３】
鉗子の先端部に鉗子カバーを装着させる際に、本考案に係る鉗子カバー装着用補助具を用いれば、鉗子カバーが鉗子の先端に密接的に装着されるので、鉗子による縫合糸の把持を確実にできる。また、本鉗子カバー装着用補助具を用いれば、鉗子カバーが濡れたり汚れたりしないので、縫合糸が滑ることなく鉗子の操作性を低下させることがない。
【考案を実施するための最良の形態】
【００１４】
以下、図面に基づいて、本考案に係る鉗子カバー装着用補助具の詳細を説明する。
【００１５】
図１は、本考案に係る鉗子カバー装着用補助具１の使用の形態を示すものである。本鉗子カバー装着用補助具１は、鉗子カバー２を鉗子１０の先端部に確実に装着させるために使用するものである。鉗子カバー２は、例えばゴムやプラスチック等の可撓性素材で形成されていることから、鉗子１０の先端に確実に挿嵌されていない状態で使用すると、鉗子カバー２の先端側が縫合糸により引っ張られて曲ったり折れたりしてしまうことがあり、鉗子１０の操作に支障が生じることとなる。従って、本鉗子カバー装着用補助具１を使用して、鉗子カバー２を鉗子１０の先端に押し込んで、鉗子１０の先端部に鉗子カバー２を確実にさせることができる。
【００１６】
図２は、本鉗子カバー装着用補助具１の詳細を説明するものである。
図２に示すように、本鉗子カバー装着用補助具１は、鉗子カバー２の挿入口１１と、鉗子カバー２を受け入れる先細形状の空洞部１３を有する胴部１２と、鉗子カバー２が、空洞部１３内に挿入された際に空洞部１３内に押し込まれる空気を外に逃すための通気孔１５を有する先端部１４と、を有する。
【００１７】
ところで、鉗子カバー２は、開孔２１を有する先端部２１と、縫合糸３（図４）と接触する把持部（胴部）２３を有し、把持部２３の内部には貫通穴２４が設けられ、この貫通穴２４に鉗子１０の先端部が挿入されるのである。従って、鉗子カバー２内に鉗子１０の先端部が挿入されると貫通穴２４内の空気は、開孔２１を通して外部に抜けるようになっている。
【００１８】
そして、本鉗子カバー装着用補助具１を用いて、鉗子カバー２を鉗子１０の先端部に挿嵌させる場合、本補助具１の先端部１４の内面が鉗子カバー２の先端部２１の外面と当接すると共に、本補助具１の空洞部１３の奥側内周面１６と鉗子カバー２の先端側２１の外周面とが接触することにより、鉗子カバー２を鉗子１０の先端部に密接的に挿嵌することができるのである。さらに、前記空洞部には、前記挿入口側において円柱形状の空洞部を有するようにする。これにより、本補助具における鉗子カバーの装着密着性をさらに向上させることができる。
【００１９】
ここで、本補助具１の先端部１４の中央部には通気孔１５が設けられているので、本補助具１の空洞部１３内に鉗子カバー２が挿入された際に、本補助具１の空洞部１３内に閉じ込められる空気は、通気孔１５を通って外に抜けるので、本補助具１の空洞部１３内に鉗子カバー２がガタつくことなく遊びが生じない状態で挿嵌され得るのである。
【００２０】
また、鉗子カバー２が鉗子１０の先端部に押し込められると、鉗子カバー２内の貫通穴２４内に空気が押し込められることとなるが、この鉗子カバー２の貫通穴２４内の空気も、鉗子カバー２の先端部中央の開孔２１と本補助具１の通気孔１５を通って外部に抜けるので、鉗子カバー２は、鉗子１０の先端部に確実に装着されることとなるのである。ところで、本補助具１の先端部１４における通気孔１５の径は、鉗子１０の先端部の外径よりも小さくする。これにより、鉗子１０の先端が、本補助具１の先端部１４のみならず鉗子カバー２を突き抜けないようにする。
【００２１】
ところで、本鉗子カバー装着用補助具１の空洞部１３の断面形状は、鉗子カバー２の外周断面形状に対応させる必要があることは言うまでもない。鉗子カバー２の断面形状は、通常円形であるが、例えば、楕円、半円又は多角形状の場合は、それらの形状にさせる。しかし、このような場合でも、本補助具１の胴部１２の外周断面はテーパー形状を成すようにする。
【００２２】
尚、本鉗子カバー装着用補助具１は、挿入口１１、胴部１２及び先端部１４を含めて、硬質プラスチック又は金属素材により一体的に成型される。
【００２３】
また、本補助具１の胴部１２の外周面には、操作者が鉗子１０の先端部に鉗子カバーを押し込む際に滑らないように、また、鉗子カバーを装着した際に鉗子カバーがズレないように、摩擦係数を高めるべく複数の細い線や溝、又はシボ状の凹凸を設けるようにしてもよい。
【００２４】
図３は、本鉗子カバー装着用補助具１の各部の詳細な寸法を示す具体例を示すものである。当然のことながら、図３に示した各部の形状と寸法は、鉗子１０の先端部の形状とそこに装着する鉗子カバー２の形状に適合させるべく変更することとなる。
【００２５】
以上詳しく説明したように、本考案に係る鉗子カバー装着用補助具１は、鉗子カバー２を鉗子１０の先端部に挿嵌する際に使用する補助具１であって、鉗子カバー２の挿入口と１１、鉗子カバー２を受け入れる先細形状の空洞部１３を有する胴部１２と、空洞部１３内に押し込まれる空気を外に逃すための通気孔１５を有する先端部１４と、を有し、鉗子カバー２を鉗子１０の先端部に挿嵌する際に、先端部１４が鉗子カバー２の先端部２１と当接し、空洞部１３の奥側内周面１６と鉗子カバー２の先端側外周面２３とが接触することにより、鉗子カバー２を鉗子１０の先端部に密接的に挿嵌するのである。
【００２６】
これにより、本考案に係る鉗子カバー装着用補助具１を用いれば、鉗子カバー２が鉗子の先端に密接的に装着されるので、鉗子１０による縫合糸の把持を確実できるのである。
【産業上の利用可能性】
【００２７】
本考案は、外科手術等に用いられる止血鉗子の先端部を覆い、縫合糸若しくは血管遮断のための血管テープ等を確実に把持するための鉗子カバーを、鉗子の先端部に確実に装着させるための鉗子カバー装着用補助具に関するものであり、産業上の利用可能性を有する。
【図面の簡単な説明】
【００２８】
【図１】本考案に係る鉗子カバー装着用補助具１の使用の形態を示す。
【図２】本鉗子カバー装着用補助具１の詳細を説明するものである。
【図３】本鉗子カバー装着用補助具１の各部の詳細な寸法を示す具体例を示す。
【図４】鉗子の利用形態の一の例を示す。
【図５】鉗子の利用形態の他の例を示す。
【符号の説明】
【００２９】
１：鉗子カバー装着用補助具
２：鉗子カバー
３：縫合糸
４：縫合針
９：血管遮断用テープ
１０：鉗子
１１：挿入口
１２：胴部
１３：空洞部
１４：先端部
１５：通気孔
【図１】
0003117083.tif 000003
【図２】
0003117083.tif 000004
【図３】
0003117083.tif 000005
【図４】
0003117083.tif 000006
【図５】
0003117083.tif 000007